(57)【要約】【課題】係合片の広がり過ぎを防止する。【解決手段】操作ユニット２１が矢印Ｘ３で示す外力を受けると、操作ユニット２１がユニット取付基板３５に対し矢印Ｘ３と同じ方向である外側に移動し、それに伴い、係合片３７の端部が仮想線で示す位置から実線で示す位置へと係合受部４２を取付孔３６の径方向の矢印Ｘ４で示す外側に滑走して拡幅防止突起４１における係合受部４２の側に衝突し、それ以上、係合片３７が外側に広がらないうえ、係合片３７が連接部分４０と拡幅防止突起４１との間に突っ張り、係合片３７の広がり過ぎによる塑性変形が防止され、固定ケース２２の塑性変形も防止され、操作ユニット２１の機能としての固定ケース２２に対する可動ケース２３の動きが適切に維持される。【選択図】図１
2006180999.tif 000002
【特許請求の範囲】
【請求項１】
操作ユニットが係合片を操作ユニットから片持ち梁のように備え、ユニット取付基板の外側からユニット取付基板に設けられた取付孔に挿入されるのに伴い、操作ユニットの係合片が取付孔からユニット取付基板の内側に突出して取付孔の周りにおけるユニット取付基板の内面に係合することによって、操作ユニットがユニット取付基板に外側に抜けないように取り付けられる遊技機の操作ユニット取付装置において、ユニット取付基板における取付孔の周りの内面には、操作ユニットがユニット取付基板の内側から外側の方向への外力を受けた場合に係合片の広がり過ぎを防止するように係合片を受け止める拡幅防止突起が設けられたことを特徴とする遊技機の操作ユニット取付装置。
【請求項２】
取付孔と拡幅防止突起との間におけるユニット取付基板における取付孔の周りの内面には、取付孔から拡幅防止突起の方向に行くにしたがって徐々にユニット取付基板の内面から内側に突出する斜面からなる係合受部が設けられたことを特徴とする請求項１記載の遊技機の操作ユニット取付装置。
【発明の詳細な説明】
【技術分野】
【０００１】
本発明は、係合片の広がり過ぎを防止する遊技機の操作ユニット取付装置に関する。
【背景技術】
【０００２】
図４は、前扉３を閉じた遊技機の１つであるスロットマシンの外観を示す。図４において、スロットマシンの機構筐体１は、前側にだけ開口した四角な箱形の形状である。機構筐体１の左右側壁には、取手部２が機構筐体１を運搬する場合に手を掛けるための孔として設けられる。機構筐体１の外面には、前扉３が設けられる。前扉３には、状況表示部４、図柄表示部５、情報表示部６、操作台７、機種表示部８、受皿９が、上から下に順に設けられる。状況表示部４は、遊技の状況に関する情報を、遊技者に知らせるために表示するものである。図柄表示部５は、図柄表示部５の内側に配置された図柄表示装置１０の図柄を遊技者に見せる光透過性合成樹脂により形成される。図柄表示装置１０は、機構筐体１の内部または前扉３の内面に取り付けられる。情報表示部６は、遊技者により設定された情報を、遊技者に知らせるために表示するものである。操作台７は、遊技者により操作される部品を集中的に設けるものである。機種表示部８は、スロットマシンの種類や製造者名および販売の許可されたことを示す証紙を、遊技者に知らせるために表示するものである。受皿９は、遊技媒体としてのメダルを受ける部分である。受皿９の左側には灰皿１１が併設される。情報表示部６は、掛数、メダルの予納枚数、当たりの結果の賞として払い出されたメダル数などの情状を数値として電気的に表示する。操作台７の外面の１つである上面には、掛数操作部１２、精算操作部１３、最大掛数操作部１４、メダル投入部１５が、左から右に順に設けられる。掛数操作部１２は、１回の遊技に対する掛数を設定するために、遊技者が操作するものである。精算操作部１３は、メダル投入部１５から遊技用や予納用として機構筐体１の内部に投入されたメダルを受皿９に電気的に返却させるために、遊技者が操作するものである。メダル投入部１５は、遊技用や予納用としてのメダルを遊技者が機構筐体１の内部に投入するためのものである。最大掛数操作部１４は、１回の遊技に対する掛数を最大に設定するために、遊技者が操作するものである。操作台７の外面の１つである前面には、遊技開始操作部１６、３個の図柄停止操作部１７、返却操作部１８、開閉錠１９が、左から右に順に設けられる。遊技開始操作部１６は、スロットマシンの１回の遊技開始として、図柄表示装置１０の図柄の変動を開始させるために、遊技者が操作するものである。図柄停止操作部１７は、スロットマシンの１回の遊技停止として、図柄表示装置１０の変動している図柄を個別に停止させるために、遊技者が操作するものである。返却操作部１８は、メダル投入部１５から投入されて機構筐体１の内部にひっかかったメダルを受皿９に機械的に返却させるために、遊技者が操作するものである。開閉錠１９は、前扉３を開閉するために、店員が操作するものである。図５は、操作ユニット２１の内部構造を示す。操作ユニット２１は図４の掛数操作部１２、精算操作部１３、最大掛数操作部１４、図柄停止操作部１７などの１つに相当し、操作ユニット２１の外面は図４の操作台７の上面または前面に相当し、操作ユニット２１の内面は図４の前扉３が機構筐体１に閉じられた場合における操作台７と機構筐体１との間に配置される内面に相当する。操作ユニット２１における筒状の固定ケース２２の内部には、筒状の可動ケース２３が固定ケース２２の開口方向である軸心Ｌ１と平行な方向に移動可能に装着される。固定ケース２２の一方の開口を塞ぐように固定ケース２２に装着されたカバー２４と可動ケース２３の底部２５とには、復帰ばね２６が装着される。復帰ばね２６が可動ケース２３をカバー２４と対向する矢印Ｘ１で示す外側に押し、復帰ばね２６で押された可動ケース２３のストッパー２７が固定ケース２２のストッパー２８に後側から接触すると、それ以上、可動ケース２３が固定ケース２２に対し外側に移動しないように停止する。このように可動ケース２３が停止した場合、可動ケース２３の外側を塞ぐレンズ２９の外面が固定ケース２２より外側に突出する。可動ケース２３の内部には、ＬＥＤからなる光源３０が設けられる。光源３０が点灯すると、その光源３０からの光がレンズ２９の内部に拡散されてレンズ２９を全体的に一様に明るく照明する。可動ケース２３の底部２５には、スイッチ操作棒３１が、底部２５からカバー２４の方向に突出する。カバー２４には、回路基板３２が、スイッチ操作棒３１の方向に配置されて取り付けられる。回路基板３２は、プリント配線板から構成される。回路基板３２には、フォトセンサーからなるスイッチ３３や抵抗器３４などの電気部品が実装される。スイッチ３３や抵抗器３４などの電気部品は、スイッチ３３のオン信号・オフ信号を操作ユニット２１の外部に出力したり、操作ユニット２１の外部からスイッチ３３に動作電力を供給したり、スイッチ３３のオン信号により操作ユニット２１の外部から光源３０に点灯するための動作電力を供給したり、スイッチ３３のオフ信号により操作ユニット２１の外部から光源３０に点灯するための動作電力を遮断して光源３０を消灯したりするための、必要な電気回路を構成する。そして、固定ケース２２が図４の操作台７に取り付けられた状態において、遊技者がレンズ２９を矢印Ｘ２で示す外側から固定ケース２２の方向に押すと、可動ケース２３が復帰ばね２６を圧縮しつつ矢印Ｘ２で示す方向に移動するのに伴い、スイッチ操作棒３１がスイッチ３３の感知部に到達し、スイッチ３３がオン動作して電気的なオン信号を出力し、光源３０が点灯する。上記レンズ２９を押す遊技者による操作がレンズ２９から解除されると、可動ケース２３が復帰ばね２６で矢印Ｘ１の方向に移動し、スイッチ操作棒３１がスイッチ３３の感知部から離れ、スイッチ３３がオフ動作して電気的なオフ信号を出力する。光源３０の点灯は、スイッチ３３のオフ動作に伴う直後に消灯したり、スイッチ３３のオフ動作から図外の制御装置に設定された所定時間後に消灯したりする場合がある。図６は、操作ユニット２１を図４に示す操作台７に取り付けるための操作ユニット取付装置を示す。操作ユニット２１におけるカバー２４が操作ユニット取付装置におけるユニット取付基板３５の方向に向けられ、操作ユニット２１がユニット取付基板３５の外側からユニット取付基板３５に貫通孔として形成された取付孔３６に挿入されるのに伴い、固定ケース２２から外側に突出した左右一対の係合片３７が取付孔３６を囲むユニット取付基板３５から押されて外側から内側に撓む。係合片３７は、固定ケース２２の軸心Ｌ１と同方向に長い帯板状であって、操作ユニット２１の固定ケース２２から片持ち梁のように設けられる。そして、係合片３７が取付孔３６をユニット取付基板３５の内側に通過するのに伴い、係合片３７が内側から外側に弾性的に広がり、係合片３７の端部が取付孔３６の周りにおけるユニット取付基板３５の内面３５ａに向き合って係合する。これによって、操作ユニット２１がユニット取付基板３５に外側に抜けないように取り付けられる。上記係合片３７が取付孔３６をユニット取付基板３５の内側に通過する過程において、固定ケース２２から外側に突出する回転防止突起３８が取付孔３６の周縁部に位置してユニット取付基板３５に形成された回転防止受孔３９に嵌合する。これによって、操作ユニット２１がユニット取付基板３５にユニット取付基板３５の外面３５ｂと平行な方向に回転しないように取り付けられる。ユニット取付基板３５は、図４の操作台７と別に形成されて操作台７に取り付けられる形態と、操作台７と同体に形成される形態とのいずれでもよい。しかしながら、操作ユニット取付装置にあっては、操作ユニット２１がユニット取付基板３５の外側から取付孔３６に挿入されることによって、係合片３７が弾性下で撓んだ後に復元して取付孔３６の周りにおけるユニット取付基板３５の内面３５ａに係合する構造であるので、操作ユニット２１がユニット取付基板３５に取り付けられた状態において、操作ユニット２１におけるユニット取付基板３５の内側に突出した部分が矢印Ｘ３で示す方向に押されるような外力を受ける場合がある。この矢印Ｘ３で示す外力を操作ユニット２１が受けると、係合片３７の端部が取付孔３６の周りにおけるユニット取付基板３５の内面３５ａを外側に滑走し、係合片３７が固定ケース２２との連接部分４０を中心として実線で示す位置から仮想線で示す位置へと固定ケース２２から固定ケース２２の径方向の外側に離れる方向に広がり過ぎて塑性変形する。このように係合片３７が外側に広がり過ぎると、固定ケース２２が塑性変形し、固定ケース２２に対する可動ケース２３の動きが悪くなるという欠点がある。
【特許文献１】特開２００２−３５２０２号公報
【発明の開示】
【発明が解決しようとする課題】
【０００３】
発明が解決しようとする問題点は、ユニット取付基板３５に取り付けられた操作ユニット２１がユニット取付基板３５の内側から外側への外力を受けた場合、係合片３７および固定ケース２２が塑性変形して、固定ケース２２に対する可動ケース２３の動きが悪くなるという点である。
【課題を解決するための手段】
【０００４】
本発明に係る遊技機の操作ユニット取付装置は、操作ユニットが係合片を操作ユニットから片持ち梁のように備え、ユニット取付基板の外側からユニット取付基板に設けられた取付孔に挿入されるのに伴い、操作ユニットの係合片が取付孔からユニット取付基板の内側に突出して取付孔の周りにおけるユニット取付基板の内面に係合することによって、操作ユニットがユニット取付基板に外側に抜けないように取り付けられる遊技機の操作ユニット取付装置において、ユニット取付基板における取付孔の周りの内面には、操作ユニットがユニット取付基板の内側から外側の方向への外力を受けた場合に係合片の広がり過ぎを防止するように係合片を受け止める拡幅防止突起が設けられたことを最も主要な特徴とする。本発明に係る遊技機の操作ユニット取付装置において、取付孔と拡幅防止突起との間におけるユニット取付基板における取付孔の周りの内面には、取付孔から拡幅防止突起の方向に行くにしたがって徐々にユニット取付基板の内面から内側に突出する斜面からなる係合受部が設けられてもよい。
【発明の効果】
【０００５】
本発明に係る遊技機の操作ユニット取付装置は、ユニット取付基板に取り付けられた操作ユニットがユニット取付基板の内側から外側の方向への外力を受け、操作ユニットがユニット取付基板に対して外力と同じ方向に移動すると、係合片の端部がユニット取付基板の内面を取付孔の径方向の外側に滑走して拡幅防止突起に衝突し、それ以上、係合片が外側に広がらないうえ、係合片が操作ユニットへ連接部分と拡幅防止突起との間に突っ張り、係合片の広がり過ぎによる塑性変形が防止され、操作ユニットの塑性変形も防止されるので、操作ユニットの機能が適切に維持されるという利点がある。取付孔と拡幅防止突起との間におけるユニット取付基板における取付孔の周りの内面には、取付孔から拡幅防止突起の方向に行くにしたがって徐々にユニット取付基板の内面から内側に突出する斜面からなる係合受部が設けられれば、操作ユニットがユニット取付基板に対して外力と同じ方向に移動する移動距離が減少し、品質信頼性が高くなるという利点がある。
【発明を実施するための最良の形態】
【０００６】
図１乃至図３は、発明を実施するための最良の形態である。図１のａ図は、操作ユニット２１がユニット取付基板３５に取り付けられた遊技機の操作ユニット取付装置を軸心Ｌ１と動方向に切断した断面を示す。図１のｂ図は、遊技機の操作ユニット取付装置の操作ユニット２１が矢印Ｘ３で示す方向からの外力を受けた場合における図１のａ図と同じ方向の断面を示す。図２は、遊技機の操作ユニット取付装置を分解した図１のａ図と同じ方向の断面を示す。図３は、遊技機の操作ユニット取付装置を分解した外観を示す。この明細書において、「前」、「後」、「裏」、「左」、「右」、「上」、「下」の方向は、図４の状態にスロットマシンを置いて矢印Ａで示す前側から見た場合に特定される方向である。「後」と「裏」とは同じ方向である。
【０００７】
図３を参照し、遊技機の操作ユニット取付装置の構造について説明する。ユニット取付基板３５の内面３５ａには、拡幅防止突起４１が取付孔３６の周囲に位置して設けられる。拡幅防止突起４１は、操作ユニット２１の複数の係合片３７がユニット取付基板３５の内面３５ａを外側に滑走して固定ケース２２における径方向の外側に広がらないように防止するものであって、ユニット取付基板３５の内面３５ａから内側に突出する。拡幅防止突起４１と取付孔３６との間におけるユニット取付基板３５の内面３５ａには、係合受部４２が形成される。係合受部４２は、取付孔３６から拡幅防止突起４１の方向に行くにしたがって徐々にユニット取付基板３５の内面３５ａから内側に突出する斜面からなる。符号４３はコネクタであって、コネクタ４３は、図４の機構筐体１の内部に設けられる図外の電源装置や図外の制御装置に接続されることによって、図１に示す回路基板３２のスイッチ３３や抵抗器３４などの電気部品に電源装置から電力を供給したり、当該電気部品からの信号を制御装置に供給する。
【０００８】
図１のａ図および図２を参照し、操作ユニット２１のユニット取付基板３５への取り付け方について説明する。図２において、操作ユニット２１のカバー２４がユニット取付基板３５の方向に向けられ、操作ユニット２１がユニット取付基板３５の外側の１つである外側から取付孔３６に挿入されると、左右一対の係合片３７が取付孔３６を囲むユニット取付基板３５から押されて外側から固定ケース２２に近づく方向である内側に撓む。そして、係合片３７が取付孔３６をユニット取付基板３５の内側に通過するのに伴い、係合片３７が内側から外側に弾性的に広がり、係合片３７の端部がユニット取付基板３５における拡幅防止突起４１よりも取付孔３６の方向に位置する係合受部４２に向き合って係合する。これによって、図１のａ図に示すように、操作ユニット２１がユニット取付基板３５に外側に抜けないように取り付けられる。
【０００９】
図１のｂ図を参照し、操作ユニット２１がユニット取付基板３５に取り付けられた状態において、操作ユニット２１におけるユニット取付基板３５の内側に突出した部分が矢印Ｘ３で示す方向に押されるような外力を受ける場合について説明する。図１のｂ図において、仮想線で示す係合片３７は、操作ユニット２１が矢印Ｘ３で示す外力を受ける前の時点における位置であって、図１のａ図と同じ位置に存在した場合である。図１のｂ図に示すように、操作ユニット２１が矢印Ｘ３で示す外力を受けると、操作ユニット２１がユニット取付基板３５に対し矢印Ｘ３と同じ方向である外側に移動する。この操作ユニット２１の外側への移動に伴い、係合片３７の端部が仮想線で示す位置から実線で示す位置へと係合受部４２を取付孔３６の径方向の矢印Ｘ４で示す外側に滑走して拡幅防止突起４１における係合受部４２の側に衝突する。これによって、それ以上、係合片３７が外側に広がらないうえ係合片３７が連接部分４０と拡幅防止突起４１との間に突っ張る。したがって、係合片３７の広がり過ぎによる塑性変形が防止され、固定ケース２２の塑性変形も防止されるので、操作ユニット２１の機能としての固定ケース２２に対する可動ケース２３の動きが適切に維持されるという利点がある。
【００１０】
拡幅防止突起４１と取付孔３６との間におけるユニット取付基板３５の内面３５ａには、取付孔３６から拡幅防止突起４１の方向に行くにしたがって徐々にユニット取付基板３５の内面３５ａから内側に突出する斜面からなる係合受部４２が設けられているので、係合受部４２が設けられていない場合に比べ、操作ユニット２１がユニット取付基板３５に対して外力と同じ方向に移動する移動距離が減少し、品質信頼性が高くなるという利点がある。
【産業上の利用可能性】
【００１１】
遊技機としてはパチンコ機であってもよい。係合片３７は左右一対でなくともよい。
【図面の簡単な説明】
【００１２】
【図１】ａ図は操作ユニットがユニット取付基板に取り付けられた遊技機の操作ユニット取付装置を示す断面図、ｂ図は遊技機の操作ユニット取付装置の操作ユニットが外力を受けた場合を示す断面図（最良の形態）。
【図２】遊技機の操作ユニット取付装置を示す分解断面図（最良の形態）。
【図３】遊技機の操作ユニット取付装置を示す分解斜視図（最良の形態）。
【図４】スロットマシンを前側から示す斜視図（従来例）。
【図５】操作ユニットを示す断面図（従来例）。
【図６】ユニット取付基板に取り付けられた操作ユニットが外力を受けた場合を示す断面図（従来例）。
【符号の説明】
【００１３】
２１  操作ユニット
３５  ユニット取付基板
３６  取付孔
３７  係合片
４１  拡幅防止突起
４２  係合受部
【図１】
2006180999.tif 000003
【図２】
2006180999.tif 000004
【図３】
2006180999.tif 000005
【図４】
2006180999.tif 000006
【図５】
2006180999.tif 000007
【図６】
2006180999.tif 000008